(57)【要約】      （修正有）【課題】脈動ファンの近くに設けられた１つ以上の表面に堆積する塵粒子を減少させる。【解決手段】当該表面は、脈動ファン１２０及び脈動ファンのブレード、又は、他の同様な表面の近くに設けられる熱交換器１３０を含んでもよい。脈動ファンは、第１の持続期間にわたって第１の方向１３５に回転し、第２の持続期間にわたって第２の方向１８５に回転してもよい。脈動ファンが第２の方向に回転している間、脈動ファンの近くに設けられた１つ以上の表面上に堆積した塵粒子は減少する。第２の回転方向は、第１の回転方向とは反対の方向である。脈動ファンは、軸流ファン又は遠心ファンを含んでもよい。【選択図】図１
2010116915.tif 000002
【特許請求の範囲】
【請求項１】
第１の持続期間にわたって第１の方向に回転し、第２の持続期間にわたって第２の方向に回転する脈動ファンと、
前記脈動ファンの近くに設けられた複数の表面と
を備え、
前記脈動ファンが前記第２の方向に回転する間に、前記複数の表面上に堆積した塵粒子は減少し、
前記回転の前記第２の方向は、前記回転の前記第１の方向と反対であり、
前記複数の表面は、熱交換器と前記脈動ファンのブレードとを有する装置。
【請求項２】
前記脈動ファンは、軸流ファンである請求項１に記載の装置。
【請求項３】
前記第１の方向への前記軸流ファンの回転は、空気を第３の方向に流し、前記第２の方向への前記軸流ファンの回転は、前記空気を第４の方向に流し、前記第４の方向は、前記第３の方向と略反対である請求項２に記載の装置。
【請求項４】
前記第２の方向への前記軸流ファンの回転は、イベントの発生に基づいて開始され、前記イベントは、自身からの熱が放散される熱発生デバイスの熱レベルが、設定されたレベルを超えることを含む請求項３に記載の装置。
【請求項５】
前記脈動ファンは、遠心ファンである請求項１に記載の装置。
【請求項６】
前記第１の方向への前記遠心ファンの回転は、空気を第５の方向から前記熱交換器に衝突させ、前記第２の方向への前記遠心ファンの回転は、前記空気を第６の方向から前記熱交換器に衝突させ、前記空気を前記第６の方向から前記熱交換器に衝突させることにより、前記塵粒子が除去される請求項５に記載の装置。
【請求項７】
前記第６の方向は、前記第５の方向に対して第１の角度を形成し、前記第１の角度は鋭角であり、前記空気を前記第１の角度で前記熱交換器に衝突させることにより、前記熱交換器上に堆積された前記塵粒子が除去される請求項６に記載の装置。
【請求項８】
前記第６の方向は、前記第５の方向に対して第２の角度を形成し、前記第２の角度は鈍角であり、前記空気を前記第２の角度で前記熱交換器に衝突させることにより、前記熱交換器上に堆積された前記塵粒子が除去される請求項６に記載の装置。
【請求項９】
前記第２の方向への前記遠心ファンの回転は、イベントの発生に基づいて開始され、前記イベントは、前記第１の持続期間が経過したことを含む請求項５に記載の装置。
【請求項１０】
第１の持続期間にわたって第１の方向に脈動ファンを回転し、第２の持続期間にわたって第２の方向に前記脈動ファンを回転させる工程と、
前記脈動ファンの近くに複数の表面を設ける工程と
を備え、
前記脈動ファンが前記第２の方向に回転させる間に、前記複数の表面上に堆積した塵粒子は減少し、
前記回転の前記第２の方向は、前記回転の前記第１の方向と反対であり、
前記複数の表面は、熱交換器と前記脈動ファンのブレードとを有する方法。
【請求項１１】
前記脈動ファンは、軸流ファンである請求項１０に記載の方法。
【請求項１２】
前記第１の方向への前記軸流ファンの回転は、空気を第３の方向に流し、前記第２の方向への前記軸流ファンの回転は、前記空気を第４の方向に流し、前記第４の方向は、前記第３の方向と略反対である請求項１１に記載の方法。
【請求項１３】
前記第２の方向への前記軸流ファンの回転は、イベントの発生に基づいて開始され、前記イベントは、自身からの熱が放散される熱発生デバイスの熱レベルが、設定されたレベルを超えることを含む請求項１２に記載の方法。
【請求項１４】
前記脈動ファンは、遠心ファンである請求項１０に記載の方法。
【請求項１５】
前記第１の方向への前記遠心ファンの回転は、空気を第５の方向から前記熱交換器に衝突させ、前記第２の方向への前記遠心ファンの回転は、前記空気を第６の方向から前記熱交換器に衝突させ、前記空気を前記第６の方向から前記熱交換器に衝突させることにより、前記塵粒子が除去される請求項１４に記載の方法。
【請求項１６】
前記第６の方向は、前記第５の方向に対して第１の角度を形成し、前記第１の角度は鋭角であり、前記空気を前記第１の角度で前記熱交換器に衝突させることにより、前記塵粒子が除去される請求項１５に記載の方法。
【請求項１７】
前記第６の方向は、前記第５の方向に対して第２の角度を形成し、前記第２の角度は鈍角であり、前記空気を前記第２の角度で前記熱交換器に衝突させることにより、前記塵粒子が除去される請求項１５に記載の方法。
【請求項１８】
前記第２の方向への前記遠心ファンの回転は、イベントの発生に基づいて開始され、前記イベントは、前記第１の持続期間の経過を含む請求項１４に記載の方法。
【請求項１９】
熱発生デバイスと、
熱放散アレンジメントと
を備え、
前記熱放散アレンジメントは、前記熱発生デバイスの近くに設けられ、
前記熱放散アレンジメントは、第１の持続期間にわたって第１の方向に回転し、第２の持続期間にわたって第２の方向に回転する脈動ファンと、前記脈動ファンの近くに設けられた複数の表面とを有し、
前記脈動ファンが前記第２の方向に回転する間に、前記複数の表面上に堆積した塵粒子は減少し、
前記回転の前記第２の方向は、前記回転の前記第１の方向と反対であり、
前記複数の表面は、熱交換器と前記脈動ファンのブレードとを有するシステム。
【請求項２０】
前記熱発生デバイスは、プロセッサである請求項１９に記載のシステム。
【請求項２１】
前記脈動ファンは、軸流ファンである請求項１９に記載のシステム。
【請求項２２】
前記第１の方向への前記回転は、空気を第３の方向に流し、前記第２の方向への前記回転は、前記空気を第４の方向に流し、前記第４の方向は、前記第３の方向と略反対である請求項２０に記載のシステム。
【請求項２３】
前記熱発生デバイスは、グラフィックデバイスである請求項１９に記載のシステム。
【請求項２４】
前記脈動ファンは遠心ファンである請求項１９に記載のシステム。
【請求項２５】
前記第１の方向への前記脈動ファンの回転は、空気を第５の方向から前記熱交換器に衝突させ、前記第２の方向への前記脈動ファンの回転は、前記空気を第６の方向から前記熱交換器に衝突させる請求項２０に記載のシステム。
【請求項２６】
前記第６の方向からの前記空気の衝突により、前記熱交換器上に堆積された前記塵粒子が除去される請求項２５に記載のシステム。
【請求項２７】
前記第６の方向は、前記第５の方向に対して第１の角度を形成し、前記第１の角度は鋭角であり、前記空気を前記第１の角度で前記熱交換器に衝突させることにより、前記塵粒子が除去される請求項２５に記載のシステム。
【請求項２８】
前記第６の方向は、前記第５の方向に対して第２の角度を形成し、前記第２の角度は鈍角であり、前記空気を前記第２の角度で前記熱交換器に衝突させることにより、前記塵粒子が除去される請求項２５に記載のシステム。
【発明の詳細な説明】
【背景技術】
【０００１】
電子部品、自動車、又はエアコンディショニングシステムを含むシステムは、熱発生部品を含む場合がある。電子部品において、マイクロプロセッサ、グラフィックデバイス、又はその他の同様なデバイスは、熱を発生し得る。発生された熱は、熱放散アレンジメントを用いて放散されてもよい。熱放散アレンジメントは、ファン及び熱交換器、又は空冷デバイスの組み合わせを含んでもよい。これらのデバイスから発生された熱は、熱発生デバイス上に空気を流すことによって放散されてもよい。空気が流れている間、発生された熱は移動されるので、発生された熱は放散されてもよい。
【発明の概要】
【発明が解決しようとする課題】
【０００２】
多くの場合、ファンは、ファンの軸に沿って設けられた部品に連結されたブレードを含み、ブレードの回転により気流が生じる。また、高伝導材料を含む熱交換器がファンの近くに設けられても良く、このようなアレンジメントによって、より速い速度で熱は放散され得る。しかしながら、ファンが回転している間、気流によって、熱交換器及びファンブレード表面上に多くの塵粒子が堆積され得る。長い期間が経つことで、そのような塵粒子の堆積は、空気の通過を妨害する絶縁及び不伝導層を形成するかもしれない。そのような状況においては、熱放散量が減少し得る。このため、パフォーマンス及び人間工学にかかわる問題、及びその他の同様な問題が生じ得る。
【図面の簡単な説明】
【０００３】
ここに記した発明は添付の図面を用いて説明されるが、例を示す目的にすぎず、限定する目的ではない。説明を簡潔且つ明瞭化する目的で、図に示した部材の縮尺は必ずしも正しくはない。例えば、明瞭化の目的で、ある部材の寸法は、他の部材の寸法に比べて誇張されている場合もある。更に、適当と考えられる箇所には、対応する又は同類の部材を示す目的で、同一の参照番号を複数の図面の間で繰り返し用いている。
【０００４】
【図１】１つの実施形態に準じた、熱交換器上に堆積する塵を減少させる目的で、第１の期間及び第２の期間のそれぞれ回転する、脈動軸流ファンを含むアレンジメント１１０及び１５０を示す。
【図２】脈動軸流ファンが第１及び第２の期間それぞれ回転しているときの気流の方向を示すラインダイアグラム２１０及び２５０である。
【図３】熱放散アレンジメント１１０の写真を示す。
【図４】第１及び第２の方向の両方に回転する、脈動軸流ファンを含む熱放散アレンジメント１５０の写真を示す。
【図５】１つの実施形態に準じた、熱交換器上に堆積する塵を減少させる目的で、第３及び第４の方向のそれぞれに回転する、脈動遠心ファンを含むアレンジメント５１０及び５５０を示す。
【図６】脈動遠心ファンが第３及び第４の方向のそれぞれに回転したときの衝突方向を示すラインダイアグラム６１０及び６５０である。
【図７】熱放散アレンジメント５１０の写真を示す。
【図８】第３及び第４の方向の両方に回転する、脈動遠心ファンを含む熱放散アレンジメント５５０の写真を示す。
【図９】１つの実施形態に準じた、熱交換器上に堆積する塵を減少させる目的で脈動ファンアレンジメントを用いたコンピュータシステム９００を示す。
【発明を実施するための形態】
【０００５】
以下に、熱放散アレンジメント上に堆積する塵の減少について記載する。以下の記載においては、本発明のより深い理解を提供する目的で、ロジック構成、重複実施、部材のタイプ及び相関関係等の多くの特定の詳細を提示する。しかしながら、当業者であれば、本発明がそのような特定の詳細無しで実施できることは明らかであろう。他の例では、本発明を不明瞭にしない目的で、構成を詳細には説明していない。当業者であれば、明細書に含まれた記載により、過度の実験を行なわずとも、適切な機能を実現できることは明らかであろう。
【０００６】
明細書で用いる「１つの実施形態」、「実施形態」、「１つの実施形態例」の参照は、記載された実施形態が特定の特徴、構造又は特性を含むことを示すが、全ての実施形態が、これら特定の特徴、構成又は特性を必ずしも含む必要はない。更に、そのような表現は、必ずしも同一の実施形態を参照しているわけではない。更に、特定の特徴、構成又は特性が、１つの実施形態に関連して記載された場合に、明示的に記載されているか否かにかかわらず、他の実施形態に関連して記載された特徴、構造又は特性にも効果が及ぶことは、当業者であれば明らかであろう。
【０００７】
図１に、熱交換器上に堆積する塵を減少させる目的で、熱放散アレンジメント１１０及び１５０に用いられる脈動軸流ファンの実施形態を示す。１つの実施形態においては、アレンジメント１１０は、脈動軸流ファン１２０及び熱交換器１３０を含む。１つの実施形態においては、脈動軸流ファン１２０は、方向１３５の方向に回転してもよい。方向１０５及び１０６は、それぞれ、入力気流及び出力気流の方向を示す。１つの実施形態においては、脈動軸流ファン１２０の軸（方向１０５）に沿って移動する空気は、塵粒子を含み得る。
【０００８】
１つの実施形態においては、方向１０５に沿って流れる空気は、脈動軸流ファン１２０のブレード及び熱交換器１３０の方向に塵粒子を運んでもよい。１つの実施形態においては、脈動軸流ファン１２０のブレード及び熱交換器１３０上に塵粒子が堆積され得る。１つの実施形態においては、塵粒子の堆積によって、塵層１４０が形成され得る。１つの実施形態においては、塵層１４０により空気の通過が阻害され、これにより、熱放散量が減少するかもしれない。１つの実施形態においては、熱放散の減少により、熱発生部品の熱レベルが上昇して、これにより、熱発生部品のパフォーマンスが損なわれるかもしれない。１つの実施形態における、脈動軸流ファン１２０のブレード及び熱交換器３７０上に堆積した塵粒子３４０を示す熱放散アレンジメント１１０の写真を図３に示す。
【０００９】
１つの実施形態においては、塵粒子は、微小な土粒子、繊維媒体又は他の同様な成分を含み得る。１つの実施形態においては、塵粒子は、土、人間皮膚細胞、植物の花粉、動物の毛、織物繊維、紙繊維及びそのような他の粒子等の多様な発生源によって生じ得る。
【００１０】
１つの実施形態においては、熱放散アレンジメント１５０は、脈動軸流ファン１２０及び熱交換器１３０を含んでもよい。しかしながら、脈動軸流ファン１２０の回転方向は、第２の方向１８５で示したように、反対方向であってもよい。１つの実施形態においては、脈動軸流ファン１２０は、ある相当の持続時間、第１の方向に回転して、合間において、第１の方向とは反対の方向である第２の方向に回転してもよい。１つの実施形態においては、第２の方向１８５に回転する脈動軸流ファン１２０は、方向１５５−１５６に沿って吸気圧力を生成してもよい。１つの実施形態においては、脈動軸流ファン１２０の回転によって生成される吸気圧力により、塵層１４０の塵粒子を除去してもよい。１つの実施形態においては、塵層１４０から塵粒子が除去されることにより、脈動軸流ファン１２０のブレード及び熱交換器１３０上に堆積する塵粒子を減少させてもよい。１つの実施形態における、第１及び第２の方向の両方に回転する脈動軸流ファンを含む熱放散アレンジメント１５０の写真を図４に示す。図４の写真は、１つの実施形態における、脈動軸流ファン３１０が定期的に第１の方向１３５及び第２の方向１８５に回転する間の、堆積する塵粒子３４０の減少を示す。１つの実施形態においては、脈動軸流ファン３１０が第１の方向１３５に回転する期間は、脈動軸流ファン３１０が第２の方向１８５に回転する期間より相当量大きくてもよい。
【００１１】
１つの実施形態においては、塵粒子が除去されることにより、熱交換器に塵層３４０が実質存在しなく得る。そのようなアプローチにより、熱発生デバイスを期待するパフォーマンスレベルで実行させることができ得る。１つの実施形態においては、そのようなアプローチにより、熱放散の妨害を実質避け得る。１つの実施形態においては、熱放散の妨害を避けることにより、熱発生デバイスの熱が過度に上昇することも防ぐことができ、これにより、デバイスの熱レベルを人間工学的限界内に維持し得る。そのようなアプローチにより、脈動軸流ファン３１０のブレード及び熱交換器３７０の表面を清潔に維持でき、これにより、アレンジメントの美的側面が向上し得る。
【００１２】
１つの実施形態においては、脈動軸流ファン３１０は、相当の持続期間にわたって、第１の回転方向１３５に回転させてもよい。１つの実施形態においては、脈動軸流ファン３１０は、特定のイベントの発生に応じて、短い持続時間、第１の方向１３５とは反対の方向である第２の方向１８５に回転させてもよい。１つの実施形態においては、特定のイベントは、脈動軸流ファン３１０が第１の方向１３５に回転する間の特定の持続時間の経過であっても良く、熱発生デバイスの熱レベルが予め設定されたレベルを超えた場合であっても良く、起動イベント、シャットダウンイベント、及び他の同様のイベントであってもよい。１つの実施形態においては、時間をトラッキングする目的でタイムトラッキングデバイスが用いられても良く、熱発生デバイスの温度を感知する目的で、温度センサが用いられてもよい。
【００１３】
図２に、脈動軸流ファン１２０が方向１３５及び１８５にそれぞれ回転する間の、気流の方向を示すラインダイアグラム２１０及び２５０を示す。１つの実施形態においては、方向１３５に回転する脈動軸流ファン１２０は、方向１０５−１０６に沿って気流を生じさせるので、脈動軸流ファン１２０のブレード及び熱交換器１３０上に塵粒子を堆積させ得る。１つの実施形態においては、脈動軸流ファン１２０を反対の方向に回転させることにより、脈動軸流ファン１２０は、方向１０５−１０６とは実質反対の方向である方向１５５−１５６に沿って吸気を生じさせてもよい。反対方向（１５５−１５６）の空気の流れにより、脈動軸流ファン１２０のブレード及び熱交換器１３０上の塵粒子を除去してもよい。このため、熱放散アレンジメント１５０は、脈動軸流ファン１２０のブレード及び熱交換器１３０上に堆積する塵粒子を減少させ得る。
【００１４】
図５に、脈動遠心ファンのブレード及び熱交換器上に堆積する塵粒子を減少させることを目的とした、熱放散アレンジメント５１０及び５５０に用いられる脈動遠心ファンの実施形態を示す。１つの実施形態においては、アレンジメント５１０は、熱交換器５２０及び脈動遠心ファン５３０を含む。１つの実施形態においては、脈動遠心ファン５３０は、第３の方向５１５に回転させてもよい。１つの実施形態においては、方向５０５は、入力気流の方向を示し、方向５０６は、出力気流の方向を示してもよい。１つの実施形態においては、方向５０６は、方向５０５に対して約９０度の角度であってもよい。
【００１５】
１つの実施形態においては、脈動遠心ファン５３０が方向５１５に回転することにより、空気を熱交換器５２０に衝突させてもよい。１つの実施形態においては、脈動遠心ファン５３０の回転により、空気を衝突方向５２５から熱交換器５２０に衝突させてもよい。１つの実施形態においては、空気を衝突方向５２５から熱交換器５２０に衝突させることにより、熱交換器５２０の一端及びファン５３０のブレードに相当量の塵を堆積させ得る。１つの実施形態においては、熱交換器５２０上に塵粒子が堆積することにより、ファン５３０のブレード及び熱交換器５２０上に塵層５４０が形成され得る。図７に、１つの実施形態における、脈動遠心ファン７１０のブレード及び熱交換器７７０上に堆積された塵粒子７４０を示す、熱放散アレンジメント５１０の写真を示す。
【００１６】
１つの実施形態においては、熱放散アレンジメント５５０において、脈動遠心ファン５３０の回転方向は反対方向であってもよい。１つの実施形態においては、第４の方向５６５は、第３の方向５１５と実質反対の方向であってもよい。１つの実施形態においては、脈動遠心ファン５３０が第４の方向５６５に回転した場合に、気流は衝突方向５７５から熱交換器５２０に衝突してもよい。１つの実施形態においては、衝突方向５７５は、衝突方向５２５に対して角度シータ１（「θ１」）をなしてもよい。１つの実施形態においては、衝突方向５７５の角度により、衝突方向５７５に沿った気流により、ファン５３０のブレード及び熱交換器５２０から塵粒子を減少させてもよい。１つの実施形態においては、遠心ファン５３０を第４の方向５６５に回転させることにより、ファン５３０のブレード及び熱交換器５２０上に堆積する塵粒子を減少させてもよい。図８に、１つの実施形態における、第３及び第４の方向の両方に回転する脈動遠心ファンを含む、熱放散アレンジメント５５０の写真を示す。図８は、１つの実施形態における、脈動遠心ファン７１０が第３及び第４の方向において交互に定期的に回転する間の、堆積した塵粒子７４０の減少を示している。１つの実施形態においては、脈動遠心ファン７１０が第３の方向５１５に回転している持続期間は、脈動遠心ファン７１０が第４の方向５６５に回転している持続期間より相当量大きくてもよい。
【００１７】
図６に、脈動遠心ファン５３０の回転方向の変化にともなって生じる気流の衝突方向を示すラインダイアグラムを示す。
【００１８】
ラインダイアグラム６１０において、脈動遠心ファン５３０は、第３の方向５１５に回転しても良く、これにより、入力気流５０５を、衝突方向５２５から熱交換器５２０に衝突させてもよい。他の実施形態においては、脈動遠心ファン５３０は、第３の方向５１５に回転しても良く、これにより、方向５０５の入力気流を衝突方向５２６から熱交換器５２０に衝突させてもよい。１つの実施形態においては、方向５２５及び５２６からの空気の衝突は、第１及び第２の角度のそれぞれにおいて生じてもよい。１つの実施形態においては、衝突方向５２５及び／又は５２６からの空気の衝突により、ファン５３０のブレード及び熱交換器５２０上に空気中の塵粒子が堆積し得る。
【００１９】
ラインダイアグラム６５０において、脈動遠心ファン５３０は、第３の方向５１５に反対の方向である、第４の方向５６５に回転させてもよい。１つの実施形態においては、脈動遠心ファン５３０が方向５６５に回転することにより、空気を衝突方向５７５から熱交換器５２０に衝突させてもよい。他の実施形態においては、脈動遠心ファン５３０は、第４の方向５６５に回転しても良く、これにより、入力気流５０５を方向５７６から熱交換器５２０に衝突させてもよい。１つの実施形態においては、方向５７５及び５７６からの空気の衝突は、第３及び第４の角度のそれぞれにおいて生じてもよい。
【００２０】
１つの実施形態においては、方向５７５は、方向５２５に対して角度シータ１（「θ１」）をなしてもよい。１つの実施形態においては、角度シータ１は、鈍角（９０度より大きい）であってもよい。他の実施形態においては、方向５７６は、方向５２６に対して角度シータ２（「θ２」）をなしてもよい。１つの実施形態においては、角度シータ２（θ２）は、鋭角（９０度より小さい）であってもよい。１つの実施形態においては、衝突方向５７５及び／又は５７６の気流により、熱交換器５２０上に堆積された塵粒子を除去してもよい。
【００２１】
図９に、脈動軸流又は遠心ファンを有す熱放散アレンジメントを含むコンピュータシステム９００の実施形態を示す。１つの実施形態においては、コンピュータシステム９００は、プロセッサ９１０、冷却ユニット９３０、メモリ９４０、グラフィックデバイス９５０、冷却ユニット９６０、コントローラハブ９７０及びＩ／Ｏデバイス９８０を含んでもよい。
【００２２】
１つの実施形態においては、メモリ９４０は、プロセッサ９１０が使用する命令及びデータ値を格納する目的で用いられてもよい。１つの実施形態においては、コントローラハブ９７０は、プロセッサ９１０とメモリ９４０との間、及び、プロセッサ９１０とＩ／Ｏデバイス９８０との間のインターフェースを提供してもよい。１つの実施形態においては、冷却ユニットは、自身からの熱を放散させる必要がある部品の近くに設けられてもよい。１つの実施形態においては、例として、冷却ユニット９３０及び９６０は、プロセッサ９１０及びグラフィックデバイス９５０のそれぞれの近くに設けられてもよい。
【００２３】
１つの実施形態においては、プロセッサ９１０は、シングルコア、デュアルコア又はマルチコアプロセッサを含んでもよい。１つの実施形態においては、プロセッサ９１０は、熱発生デバイスを意味しても良く、プロセッサ９１０が発生した熱は、冷却ユニット９３０を用いて放散されてもよい。１つの実施形態においては、冷却ユニット９３０は、ファン９３５及び熱交換器ＨＥ９３８を含んでもよい。１つの実施形態においては、ファン９３５は、相当量の時間一方向に回転して、短時間反対の方向に回転する脈動軸流又は脈動遠心ファンを含んでもよい。１つの実施形態においては、脈動ファン９３０の一方向から反対の方向への回転方向の変化は、予め設定された持続時間経過、プロセッサ９１０の熱レベルが予め設定された熱レベルを超えること、又は、プロセッサ９１０の処理負荷が予め設定された負荷値を超えること等のイベントの発生に基づいて行なわれてもよい。
【００２４】
１つの実施形態においては、反対方向の回転によって、塵粒子が除去され得るから、これにより、ファン９３５及び熱交換器ＨＥ９３８上、又は冷却ユニット９３０の近くの他の表面上に堆積する塵粒子を減少させ得る。１つの実施形態においては、そのようなアプローチにより、ファン９３５及びＨＥ９３８上、及び冷却ユニット９３０の近くの他の表面上に堆積する塵粒子に関連した問題が生じる可能性を減らし得る。
【００２５】
１つの実施形態においては、グラフィックデバイス９５０は、画像データの処理を実行し、そのため大きな処理リソースを必要とする、グラフィックコントローラ、ディスプレイコントローラ及び他の同様なユニットを含んでもよい。このため、１つの実施形態においては、グラフィックデバイス９５０は熱を発生し得るから、パフォーマンスレベルを維持するためには、発生した熱を放散する必要がある。１つの実施形態においては、グラフィックデバイス９５０の近くに設けられる冷却ユニット９６０は、グラフィックデバイス９５０が発生した熱を放散してもよい。１つの実施形態においては、冷却ユニット９６０は、ファン９６５及び熱交換器ＨＥ９６８を含んでもよい。１つの実施形態においては、ファン９６５は、一方向に回転している間は、ファン９６５及びＨＥ９６８上、又は冷却ユニット９６０の近くの他の表面上に塵粒子を堆積させ得る脈動軸流又は脈動遠心ファンを含んでもよい。１つの実施形態においては、脈動ファン９６５は、ＨＥ９６８上に堆積した塵粒子を除去する目的で、反対の方向に回転してもよい。そのようなアプローチにより、熱放散レベル及びパフォーマンスレベルを維持し得る。
【００２６】
以上、本発明の特定の特徴を複数の実施形態を用いて説明してきた。しかしながら、当記載は、限定的に解釈されることを意図していない。当実施形態の多様な改良及び本発明の他の実施形態が、本願の範囲及び本願の意図する範囲内であることは当業者であれは明らかであろう。
【図１】
2010116915.tif 000003
【図２】
2010116915.tif 000004
【図５】
2010116915.tif 000005
【図６】
2010116915.tif 000006
【図９】
2010116915.tif 000007
【図３】
2010116915.tif 000008
【図４】
2010116915.tif 000009
【図７】
2010116915.tif 000010
【図８】
2010116915.tif 000011
【外国語明細書】
2010116915.tif 000012
2010116915.tif 000013
2010116915.tif 000014
2010116915.tif 000015
2010116915.tif 000016
2010116915.tif 000017
2010116915.tif 000018
2010116915.tif 000019
2010116915.tif 000020
2010116915.tif 000021
2010116915.tif 000022
2010116915.tif 000023
2010116915.tif 000024
2010116915.tif 000025
2010116915.tif 000026
2010116915.tif 000027
2010116915.tif 000028
2010116915.tif 000029
2010116915.tif 000030
2010116915.tif 000031
2010116915.tif 000032
2010116915.tif 000033